(57)【要約】【課題】  未記録のディスクの管理が容易で所望の情報を迅速容易に記録すること。【解決手段】  前後進可能なトレイ４と、上下動可能なドライブシャーシ５と、該ドライブシャーシ５に配置した光ピックアップ及びターンテーブル８付きスピンドルモータ９とを有し、ドライブシャーシ５を上動させてトレイ４上に載置したディスクＤ１〜ｎをターンテーブル８により持ち上げて高速回転させ、光ピックアップによりそのディスクＤ１〜ｎに情報を記録するディスクレコーダＤＲが筐体１内に設けられたディスク装置であって、前記筐体１内に、ディスクレコーダＤＲに隣接してディスク載置台２４及びガイド枠２５を備えたディスク収納庫２０が設けられると共に、該ディスク収納庫２０内からディスクＤ１〜ｎを１枚ずつ押し出して前記トレイ４上にセットするディスクセット装置２１が設けられられている。【選択図】        図３
2007048376.tif 000002
【特許請求の範囲】
【請求項１】
前後進可能なトレイと、上下動可能なドライブシャーシと、該ドライブシャーシに配置
した光ピックアップ及びターンテーブル付きスピンドルモータとを有し、ドライブシャー
シを上動させてトレイ上に載置したディスクをターンテーブルにより持ち上げて高速回転
させ、光ピックアップによりそのディスクに情報を記録するディスクレコーダが筐体内に
設けられたディスク装置であって、前記筐体内に、ディスクレコーダに隣接してディスク
収納庫が設けられると共に、該ディスク収納庫内からディスクを１枚ずつ押し出して前記
トレイ上にセットするディスクセット装置が設けられ、前記ディスク収納庫が、前記トレ
イに接近して該トレイよりも上面を若干上方に位置決めしたディスク載置台と、該ディス
ク載置台の上面からディスクの１枚分の厚さよりも大きくてその２枚分の厚さよりも小さ
い隙間をおいてそのディスク載置台の上方に配置され内径をディスクの外径よりも若干大
きく設定した平面視略Ｕ字状ガイド枠と、該ガイド枠に対向して前記筐体の前面に開設し
たディスク挿入口に開閉可能に配置した開閉扉とを有し、前記ディスクセット装置が、前
記ディスク載置台上に水平移動可能に配置されて該ディスク載置台とガイド枠との間の隙
間を通過可能で厚さをディスクの１枚分の厚さよりも小さく設定した押出板と、該押出板
に一体突設したラックと、該ラックに噛合するピニオンとを有し、該ピニオンを正転駆動
することにより押出板をディスク載置台とガイド枠との間の隙間に進入させ、その進入す
る押出板によりガイド枠内からディスクを１枚だけ押し出して前記トレイ上にセットした
時に該押出板のガイド枠内に残っている残留部分の幅が該ガイド枠の内径の２分の１以上
に大きくなるように設定されており、前記開閉扉を開放しディスク挿入口からガイド枠内
にディスクを挿入して該ディスクをディスク載置台上に載置し、前記ディスクセット装置
のピニオンを正転駆動することにより押出板をディスク載置台とガイド枠との間の隙間に
進入させ、その進入する押出板によりガイド枠内からディスクを１枚だけ押し出して前記
トレイ上にセットするようにしたことを特徴とするディスク装置。
【請求項２】
前後進可能なトレイと、上下動可能なドライブシャーシと、該ドライブシャーシに配置
した光ピックアップ及びターンテーブル付きスピンドルモータとを有し、ドライブシャー
シを上動させてトレイ上に載置したディスクをターンテーブルにより持ち上げて高速回転
させ、光ピックアップによりそのディスクに情報を記録するディスクレコーダが筐体内に
設けられたディスク装置であって、前記筐体内に、ディスクレコーダに隣接してディスク
収納庫が設けられると共に、該ディスク収納庫内からディスクを１枚ずつ押し出して前記
トレイ上にセットするディスクセット装置が設けられられていることを特徴とするディス
ク装置。
【請求項３】
前記ディスク収納庫が、前記トレイに接近して該トレイよりも上面を若干上方に位置決
めしたディスク載置台と、該ディスク載置台の上面からディスクの１枚分の厚さよりも大
きくてその２枚分の厚さよりも小さい隙間をおいてそのディスク載置台の上方に配置され
内径をディスクの外径よりも若干大きく設定した平面視略Ｕ字状ガイド枠と、該ガイド枠
に対向して前記筐体の前面に開設したディスク挿入口に開閉可能に配置した開閉扉とを有
しており、その開閉扉を開放しディスク挿入口からガイド枠内にディスクを挿入して該デ
ィスクをディスク載置台上に載置し、前記ディスクセット装置によりガイド枠内からディ
スクを１枚ずつ押し出して前記トレイ上にセットするようにしたことを特徴とする請求項
２に記載のディスク装置。
【請求項４】
前記ディスクセット装置が、前記ディスク載置台上に水平移動可能に配置されて該ディ
スク載置台とガイド枠との間の隙間を通過可能で厚さをディスクの１枚分の厚さよりも小
さく設定した押出板と、該押出板に一体突設したラックと、該ラックに噛合するピニオン
とを有し、該ピニオンを正転駆動することにより押出板をディスク載置台とガイド枠との
間の隙間に進入させ、その進入する押出板によりガイド枠内からディスクを１枚だけ押し
出して前記トレイ上にセットした時に該押出板のガイド枠内に残っている残留部分の幅が
該ガイド枠の内径の２分の１以上に大きくなるように設定されていることを特徴とする請
求項３に記載のディスク装置。
【請求項５】
前後進可能なトレイと、上下動可能なドライブシャーシと、該ドライブシャーシに配置
した光ピックアップ及びターンテーブル付きスピンドルモータとを有し、ドライブシャー
シを上動させてトレイ上に載置したディスクをターンテーブルにより持ち上げて高速回転
させ、光ピックアップによりそのディスクに情報を記録するディスクレコーダが筐体内に
設けられたディスク装置であって、前記筐体内に、ディスクレコーダに隣接してディスク
収納庫が設けられると共に、該ディスク収納庫内からディスクを１枚ずつ押し出して前記
トレイ上にセットするディスクセット装置が設けられ、前記ディスク収納庫が、前記トレ
イに接近して該トレイよりも上面を若干上方に位置決めしたディスク載置台と、該ディス
ク載置台の上面からディスクの１枚分の厚さよりも大きくてその２枚分の厚さよりも小さ
い隙間をおいてそのディスク載置台の上方に配置され内径をディスクの外径よりも若干大
きく設定した平面視略Ｕ字状ガイド枠と、該ガイド枠に対向して前記筐体の前面に開設し
たディスク挿入口に開閉可能に配置した開閉扉とを有し、前記ディスクセット装置が、前
記ディスク載置台上に水平移動可能に配置されて該ディスク載置台とガイド枠との間の隙
間を通過可能で厚さをディスクの１枚分の厚さよりも小さく設定した押出板と、該押出板
に一体突設したラックと、該ラックに噛合するピニオンとを有し、該ピニオンを正転駆動
することにより押出板をディスク載置台とガイド枠との間の隙間に進入させ、その進入す
る押出板によりガイド枠内からディスクを１枚だけ押し出して前記トレイ上にセットした
時に該押出板のガイド枠内に残っている残留部分の幅が該ガイド枠の内径の２分の１以上
に大きくなるように設定され、ディスクセット釦のオン操作により駆動され収納庫ディス
ク検知センサ及びトレイ上ディスク検知センサの検知信号に基づいて前記ディスクセット
装置及びディスクレコーダを駆動制御するプロセッサが設けられており、前記ディスクセ
ット釦のオン操作に基づいて、前記収納庫ディスク検知センサによりディスク収納庫にデ
ィスクが有るか否かを判断し、有る場合には、前記トレイ上ディスク検知センサによりト
レイ上にディスクが無いか否かを判断し、無い場合には、前記ドライブシャーシを下動さ
せてターンテーブルをトレイよりも下げ、前記ディスクセット装置のピニオンを正転駆動
することにより押出板をディスク載置台とガイド枠との間の隙間に進入させ、その進入す
る押出板によりガイド枠内からディスクを１枚だけ押し出して前記トレイ上にセットし、
前記ドライブシャーシを上動させてトレイ上のディスクをターンテーブルにより持ち上げ
て高速回転させ、光ピックアップによりそのディスクに情報を記録することを特徴とする
ディスク記録方法。
【発明の詳細な説明】
【技術分野】
【０００１】
本発明は、ディスク装置とディスク記録方法に関し、特に、テレビジョン受像機などで
受信した映像情報を未記録のディスクに迅速容易に記録することができるようにしたもの
である。
【背景技術】
【０００２】
従来、ディスク装置やディスク記録方法の技術として特許文献１などに記載したものが
あり、その一例を図１０及び図１１に基づいて説明すると、これは、ＤＶＤレコーダと称
するものであって、前面パネル１ａと底板部１ｂ及び天板部１ｃとからなる筐体１内にデ
ィスクレコーダＤＲを配置し、該ディスクレコーダＤＲが、筐体１内に固定したメインシ
ャーシ２と、該メインシャーシ２の両側板２ａ，２ｂ間に配置されて前面パネル１ａの開
口部３を通って前後進ａ，ｂ可能なディスクＤ載置用トレイ４と、前記メインシャーシ２
内に配置されて上下動駆動機構６により上下動ｃ，ｄされるドライブシャーシ５とを有し
、該ドライブシャーシ５に、前後進ａ，ｂ可能な光ピックアップ７と、ターンテーブル８
付きスピンドルモータ９とが配置され、ターンテーブル８に対向してディスクチャッキン
グ機構１０が設けられている。
【０００３】
前記上下動駆動機構６は、メインシャーシ２の前部に前後進ａ，ｂ方向とは直交する左
右方向ｅ，ｆにスライド可能に配置したカムスライダ１２を有し、ドライブシャーシ５の
前面に突設したカム軸１３がカムスライダ１２のカム溝１２ａに嵌入されており、該カム
スライダ１２を左方向ｅ（または右方向ｆ）にスライドさせることにより、ドライブシャ
ーシ５を上下動ｃ，ｄさせる。なお、図１０中、１４はトレイ浮き上がり防止片である。
【０００４】
前記ディスクチャッキング機構１０は、メインシャーシ２の両側板２ａ，２ｂ間に架設
した横桁１６と、該横桁１６に一定範囲内昇降動可能に配置した磁石１７付きディスクク
ランパ１８とを有しており、図１１（ａ）に示すように、ディスククランパ１８によりデ
ィスクＤをターンテーブル８に押し付けてクランプする。
【０００５】
テレビジョン受像機などで受信した映像情報を未記録のディスクＤに記録する場合の操
作手順を説明すると、図１１（ｂ）に示すように、トレイ４を前進ａさせ、その前進ａ状
態のトレイ４上に未記録のディスクＤを載置した後、ローディング信号に基づいてトレイ
４を後進ｂさせて筐体１内に収納し、続いて、カムスライダ１２を右方向ｆ（または左方
向ｅ）にスライドさせてドライブシャーシ５を上動ｃさせることにより、図１１（ａ）に
示すように、トレイ４上のディスクＤをターンテーブル８により持ち上げてスピンドルモ
ータ９で高速回転させ、そのディスクＤに光ピックアップ７により情報を記録する。また
、既に記録したディスクＤの再生や消去も当然行うことができる。
【特許文献１】特開２００２−２４５７６７号公報
【発明の開示】
【発明が解決しようとする課題】
【０００６】
上記従来の構成では、トレイ４を前後進ａ，ｂさせて未記録のディスクＤを１枚ずつセ
ットするようになっているから、手間がかかって面倒であると共に、始動からディスクレ
コーダＤＲで記録するまでに比較的大きなタイムロスが生じる。また、未記録のディスク
Ｄの管理がおろそかになる。
【０００７】
本発明は、上記従来の欠点に鑑み、未記録のディスクの管理が容易で所望の情報を迅速
容易に記録することができるようにしたディスク装置とディスク記録方法を提供するもの
である。
【課題を解決するための手段】
【０００８】
上記目的を達成するため、請求項１に記載の発明であるディスク装置は、前後進可能な
トレイと、上下動可能なドライブシャーシと、該ドライブシャーシに配置した光ピックア
ップ及びターンテーブル付きスピンドルモータとを有し、ドライブシャーシを上動させて
トレイ上に載置したディスクをターンテーブルにより持ち上げて高速回転させ、光ピック
アップによりそのディスクに情報を記録するディスクレコーダが筐体内に設けられたディ
スク装置であって、前記筐体内に、ディスクレコーダに隣接してディスク収納庫が設けら
れると共に、該ディスク収納庫内からディスクを１枚ずつ押し出して前記トレイ上にセッ
トするディスクセット装置が設けられ、前記ディスク収納庫が、前記トレイに接近して該
トレイよりも上面を若干上方に位置決めしたディスク載置台と、該ディスク載置台の上面
からディスクの１枚分の厚さよりも大きくてその２枚分の厚さよりも小さい隙間をおいて
そのディスク載置台の上方に配置され内径をディスクの外径よりも若干大きく設定した平
面視略Ｕ字状ガイド枠と、該ガイド枠に対向して前記筐体の前面に開設したディスク挿入
口に開閉可能に配置した開閉扉とを有し、前記ディスクセット装置が、前記ディスク載置
台上に水平移動可能に配置されて該ディスク載置台とガイド枠との間の隙間を通過可能で
厚さをディスクの１枚分の厚さよりも小さく設定した押出板と、該押出板に一体突設した
ラックと、該ラックに噛合するピニオンとを有し、該ピニオンを正転駆動することにより
押出板をディスク載置台とガイド枠との間の隙間に進入させ、その進入する押出板により
ガイド枠内からディスクを１枚だけ押し出して前記トレイ上にセットした時に該押出板の
ガイド枠内に残っている残留部分の幅が該ガイド枠の内径の２分の１以上に大きくなるよ
うに設定されており、前記開閉扉を開放しディスク挿入口からガイド枠内にディスクを挿
入して該ディスクをディスク載置台上に載置し、前記ディスクセット装置のピニオンを正
転駆動することにより押出板をディスク載置台とガイド枠との間の隙間に進入させ、その
進入する押出板によりガイド枠内からディスクを１枚だけ押し出して前記トレイ上にセッ
トするようにしたことを特徴としている。
【０００９】
請求項２に記載の発明であるディスク装置は、前後進可能なトレイと、上下動可能なド
ライブシャーシと、該ドライブシャーシに配置した光ピックアップ及びターンテーブル付
きスピンドルモータとを有し、ドライブシャーシを上動させてトレイ上に載置したディス
クをターンテーブルにより持ち上げて高速回転させ、光ピックアップによりそのディスク
に情報を記録するディスクレコーダが筐体内に設けられたディスク装置であって、前記筐
体内に、ディスクレコーダに隣接してディスク収納庫が設けられると共に、該ディスク収
納庫内からディスクを１枚ずつ押し出して前記トレイ上にセットするディスクセット装置
が設けられられていることを特徴としている。
【００１０】
請求項３に記載の発明は、請求項２に記載の発明において、前記ディスク収納庫が、前
記トレイに接近して該トレイよりも上面を若干上方に位置決めしたディスク載置台と、該
ディスク載置台の上面からディスクの１枚分の厚さよりも大きくてその２枚分の厚さより
も小さい隙間をおいてそのディスク載置台の上方に配置され内径をディスクの外径よりも
若干大きく設定した平面視略Ｕ字状ガイド枠と、該ガイド枠に対向して前記筐体の前面に
開設したディスク挿入口に開閉可能に配置した開閉扉とを有しており、その開閉扉を開放
しディスク挿入口からガイド枠内にディスクを挿入して該ディスクをディスク載置台上に
載置し、前記ディスクセット装置によりガイド枠内からディスクを１枚ずつ押し出して前
記トレイ上にセットするようにしたことを特徴としている。
【００１１】
請求項４に記載の発明は、請求項３に記載の発明において、前記ディスクセット装置が
、前記ディスク載置台上に水平移動可能に配置されて該ディスク載置台とガイド枠との間
の隙間を通過可能で厚さをディスクの１枚分の厚さよりも小さく設定した押出板と、該押
出板に一体突設したラックと、該ラックに噛合するピニオンとを有し、該ピニオンを正転
駆動することにより押出板をディスク載置台とガイド枠との間の隙間に進入させ、その進
入する押出板によりガイド枠内からディスクを１枚だけ押し出して前記トレイ上にセット
した時に該押出板のガイド枠内に残っている残留部分の幅が該ガイド枠の内径の２分の１
以上に大きくなるように設定されていることを特徴としている。
【００１２】
請求項５に記載の発明であるディスク記録方法は、前後進可能なトレイと、上下動可能
なドライブシャーシと、該ドライブシャーシに配置した光ピックアップ及びターンテーブ
ル付きスピンドルモータとを有し、ドライブシャーシを上動させてトレイ上に載置したデ
ィスクをターンテーブルにより持ち上げて高速回転させ、光ピックアップによりそのディ
スクに情報を記録するディスクレコーダが筐体内に設けられたディスク装置であって、前
記筐体内に、ディスクレコーダに隣接してディスク収納庫が設けられると共に、該ディス
ク収納庫内からディスクを１枚ずつ押し出して前記トレイ上にセットするディスクセット
装置が設けられ、前記ディスク収納庫が、前記トレイに接近して該トレイよりも上面を若
干上方に位置決めしたディスク載置台と、該ディスク載置台の上面からディスクの１枚分
の厚さよりも大きくてその２枚分の厚さよりも小さい隙間をおいてそのディスク載置台の
上方に配置され内径をディスクの外径よりも若干大きく設定した平面視略Ｕ字状ガイド枠
と、該ガイド枠に対向して前記筐体の前面に開設したディスク挿入口に開閉可能に配置し
た開閉扉とを有し、前記ディスクセット装置が、前記ディスク載置台上に水平移動可能に
配置されて該ディスク載置台とガイド枠との間の隙間を通過可能で厚さをディスクの１枚
分の厚さよりも小さく設定した押出板と、該押出板に一体突設したラックと、該ラックに
噛合するピニオンとを有し、該ピニオンを正転駆動することにより押出板をディスク載置
台とガイド枠との間の隙間に進入させ、その進入する押出板によりガイド枠内からディス
クを１枚だけ押し出して前記トレイ上にセットした時に該押出板のガイド枠内に残ってい
る残留部分の幅が該ガイド枠の内径の２分の１以上に大きくなるように設定され、ディス
クセット釦のオン操作により駆動され収納庫ディスク検知センサ及びトレイ上ディスク検
知センサの検知信号に基づいて前記ディスクセット装置及びディスクレコーダを駆動制御
するプロセッサが設けられており、前記ディスクセット釦のオン操作に基づいて、前記収
納庫ディスク検知センサによりディスク収納庫にディスクが有るか否かを判断し、有る場
合には、前記トレイ上ディスク検知センサによりトレイ上にディスクが無いか否かを判断
し、無い場合には、前記ドライブシャーシを下動させてターンテーブルをトレイよりも下
げ、前記ディスクセット装置のピニオンを正転駆動することにより押出板をディスク載置
台とガイド枠との間の隙間に進入させ、その進入する押出板によりガイド枠内からディス
クを１枚だけ押し出して前記トレイ上にセットし、前記ドライブシャーシを上動させてト
レイ上のディスクをターンテーブルにより持ち上げて高速回転させ、光ピックアップによ
りそのディスクに情報を記録することを特徴としている。
【発明の効果】
【００１３】
請求項１に記載の発明であるディスク装置は、実施の一形態（図１〜図９参照）に対応
するものであって、これによれば、筐体内のディスクレコーダに隣接してディスク収納庫
が設けられているから、そのディスク収納庫に複数の未記録のディスクを収納することに
より、その複数のディスクを紛失しないように確実に管理することができる。
【００１４】
また、ディスクセット装置によりディスク収納庫からディスクを１枚ずつ押し出してデ
ィスクレコーダにセットするようになっているから、従来のようにトレイを前後進させて
ディスクを１枚ずつセットする場合に比べて、そのセット操作に手間がかからず、ディス
クに対して迅速に記録することができ、その始動から記録までに要するロスタイムを極め
て小さくして記録チャンスを逃さないようにすることができる。
【００１５】
更に、開閉扉を開放しディスク挿入口から平面視略Ｕ字状ガイド枠内に複数のディスク
を挿入するだけで、その複数のディスクをガイド枠の内側面に沿ってディスク載置台上に
積み重ねることができ、これによって、複数のディスクを簡単確実に管理することができ
る。しかも、ディスク載置台とガイド枠との間にディスクの１枚分の厚さよりも大きくて
その２枚分の厚さよりも小さい隙間が形成されているから、その隙間を通してディスクを
１枚ずつ確実に押し出すことができる。
【００１６】
また更に、ピニオンを正転駆動することにより押出板をディスク載置台とガイド枠との
間の隙間に進入させ、その進入する押出板によりガイド枠内からディスクを１枚だけ押し
出してトレイ上にセットしたときに、該押出板のガイド枠内に残っている残留部分により
その上に乗っている下から２枚目のディスクを水平姿勢で支えているので、セット終了後
、ピニオンを逆転駆動することにより押出板を前記隙間から円滑に後退させて元の位置ま
で戻すことができると共に、下から２枚目のディスクをディスク載置台上に所定通りに載
置することができる。
【００１７】
請求項２に記載の発明は基本形態に対応するものであって、これによれば、筐体内のデ
ィスクレコーダに隣接してディスク収納庫が設けられているから、そのディスク収納庫に
複数の未記録のディスクを収納することにより、その複数のディスクを紛失しないように
確実に管理することができる。
【００１８】
また、ディスクセット装置によりディスク収納庫からディスクを１枚ずつ押し出してデ
ィスクレコーダにセットするようになっているから、従来のようにトレイを前後進させて
ディスクを１枚ずつセットする場合に比べて、そのセット操作に手間がかからず、ディス
クに対して迅速に記録することができ、その始動から記録までに要するロスタイムを極め
て小さくして記録チャンスを逃さないようにすることができる。
【００１９】
請求項３に記載の発明によれば、開閉扉を開放しディスク挿入口から平面視略Ｕ字状ガ
イド枠内に複数のディスクを挿入するだけで、その複数のディスクをガイド枠の内側面に
沿ってディスク載置台上に積み重ねることができ、これによって、複数のディスクを簡単
確実に管理することができる。しかも、ディスク載置台とガイド枠との間にディスクの１
枚分の厚さよりも大きくてその２枚分の厚さよりも小さい隙間が形成されているから、そ
の隙間を通してディスクを１枚ずつ確実に押し出すことができる。
【００２０】
請求項４に記載の発明よれば、ピニオンを正転駆動することにより押出板をディスク載
置台とガイド枠との間の隙間に進入させ、その進入する押出板によりガイド枠内からディ
スクを１枚だけ押し出してトレイ上にセットしたときに、該押出板のガイド枠内に残って
いる残留部分によりその上に乗っている下から２枚目のディスクを水平姿勢で支えている
ので、セット終了後、ピニオンを逆転駆動することにより押出板を前記隙間から円滑に後
退させて元の位置まで戻すことができると共に、下から２枚目のディスクをディスク載置
台上に所定通りに載置することができる。
【００２１】
請求項５に記載の発明であるディスク記録方法によれば、ディスクセット釦を押してプ
ロセッサを作動させることにより、ディスクセット装置を駆動制御してディスク収納庫の
ガイド枠内から未記録のディスクを１枚だけ押し出してトレイ上にセットし、続いて、デ
ィスクレコーダを駆動制御して未記録のディスクに情報を記録することができ、従来のよ
うにトレイを前後進させてディスクを１枚ずつセットして記録する場合に比べて、その一
連の動作を迅速に行わせることができる。
【発明を実施するための最良の形態】
【００２２】
図１〜図７は本発明の実施の一形態であるＤＶＤレコーダ（ディスク装置）を示すもの
であって、筐体１内に、ディスクレコーダＤＲに隣接してディスク収納庫２０が設けられ
ると共に、該ディスク収納庫２０内から未記録のディスクＤ１〜ｎを１枚ずつ押し出して
ディスクレコーダＤＲのトレイ４上にセットするディスクセット装置２１が設けられられ
ている。上記以外の構成は図１０及び図１１に示す構成とほぼ同じであるから、同一部分
に同一符号を付してその説明を省略する。
【００２３】
上記構成によれば、筐体１内のディスクレコーダＤＲに隣接してディスク収納庫２０が
設けられているから、そのディスク収納庫２０に複数の未記録のディスクＤ１〜ｎを収納
することにより、その複数のディスクＤ１〜ｎを紛失しないように確実に管理することが
できる。
【００２４】
また、ディスクセット装置２１によりディスク収納庫２０から未記録のディスクＤ１〜
ｎを１枚ずつ押し出してディスクレコーダＤＲにセットするようになっているから、従来
のようにトレイ４を前後進ａ，ｂさせてディスクＤ１〜ｎを１枚ずつセットする場合に比
べて、そのセット操作に手間がかからず、ディスクＤ１〜ｎに対して迅速に記録すること
ができ、その始動から記録までに要するロスタイムを極めて小さくして記録チャンスを逃
さないようにすることができる。
【００２５】
前記ディスクレコーダＤＲの構造は、図１０及び図１１に示すディスクレコーダＤＲの
構造とほぼ同じであるが、図３に示すように、メインシャーシ２のディスク収納庫２０側
に隣接する一方の側板２ａの高さｈ１をトレイ４の高さｈ２よりも小さく設定すると共に
、ディスクチャッキング機構１０の横桁１６の長さをほぼ半分にして、該横桁１６を他方
の側板２ｂに片持ち支持状に固定しており、これによって、一方の側板２ａから横桁１６
にかけてディスクＤ１〜ｎをトレイ４上にセットするための空隙２２が形成されている。
【００２６】
前記ディスク収納庫２０は、図３、図５及び図６に示すように、トレイ４に接近して該
トレイ４の高さｈ２よりも水平状上面２４ａの高さｈ３を若干大きく設定しその上面２４
ａをトレイ４よりも若干上方に位置決めしたディスク載置台２４と、該ディスク載置台２
４に固定杆２５ａを介して固定された平面視略Ｕ字状ガイド枠２５とを有し、該ガイド枠
２５がディスク載置台２４の上面２４ａからディスクＤ１〜ｎの１枚分の厚さｔ１よりも
大きくてその２枚分の厚さ（ｔ１×２）よりも小さい間隔ｔ２の隙間２６をおいてそのデ
ィスク載置台２４の上方に配置され、図２に示すように、ガイド枠２５の内径ｒ１をディ
スクＤ１〜ｎの外径ｒ２よりも若干大きく設定している。
【００２７】
また、図１及び図２に示すように、ガイド枠２５の前面開口部に対向して筐体１の前面
パネル１ａにディスク挿入口２７が開設され、該ディスク挿入口２７に開閉扉２８が枢支
軸２９を中心に開閉可能に配置されており、ディスク挿入口２７の横に設けた開放釦３０
（図１参照）を押すことにより、開閉扉２８のロックが解除されて、該開閉扉２８を開放
することができる（図２仮想線参照）。なお、図２中、３１は開閉扉２８の裏面に固着し
たディスク押え枠であって、ガイド枠２５の前面開口部を塞いで該ガイド枠２５内のディ
スクＤ１〜ｎが前方へ位置ずれするのを阻止する。
【００２８】
上記構成によれば、開閉扉２８を開放しディスク挿入口２７から平面視略Ｕ字状ガイド
枠２５内に複数のディスクＤ１〜ｎを挿入するだけで、その複数のディスクＤ１〜ｎをガ
イド枠２５の内側面に沿ってディスク載置台２４上に積み重ねることができ、これによっ
て、複数のディスクＤ１〜ｎを簡単確実に管理することができる。しかも、ディスク載置
台２４とガイド枠２５との間にディスクＤ１〜ｎの１枚分の厚さｔ１よりも大きくてその
２枚分の厚さ（ｔ１×２）よりも小さい隙間２６が形成されているから、その隙間２６を
通してディスクＤ１〜ｎを１枚ずつ確実に押し出すことができる。
【００２９】
前記ディスクセット装置２１は、図２、図５〜図７に示すように、ディスク載置台２４
上に左右方向ｅ，ｆに沿って水平移動可能に配置されて該ディスク載置台２４とガイド枠
２５との間の隙間２６を通過可能で厚さｔ３（図３参照）をディスクＤ１〜ｎの１枚分の
厚さｔ１よりも小さく設定した押出板３３と、該押出板３３に一体突設されて左右方向ｅ
，ｆに沿って延びるラック３４と、該ラック３４に噛合するピニオン３５と、該ピニオン
３５を正逆回転ｇ，ｈさせるセットモータ３６とを有し、押出板３３のディスクＤ１〜ｎ
に対向する内周縁３３ａがガイド枠２５の内周面と同径の円弧形に形成され、ラック３４
に左右方向ｅ，ｆに沿って長尺のガイド溝３７が形成されると共に、該ガイド溝３７に嵌
入してピニオン３５に対向するガイド片３８がディスク載置台２４に突設されており、そ
のガイド片３８に沿って押出板３３を左右方向ｅ，ｆに沿ってスライドさせる。
【００３０】
図７に仮想線で示すように、ピニオン３５を正転ｇ駆動することにより押出板３３をデ
ィスク載置台２４とガイド枠２５との間の隙間２６に進入させ、その進入する押出板３３
によりガイド枠２５内からディスクＤ１を１枚だけ押し出してトレイ４上にセットした時
に該押出板３３のガイド枠２５内に残っている残留部分の幅ｒ３が該ガイド枠２５の内径
ｒ１の２分の１以上に大きくなるように設定されている。
【００３１】
上記構成によれば、押出板３３によりガイド枠２５内からディスクＤ１を１枚だけ押し
出してトレイ４上にセットしたときに、該押出板３３のガイド枠２５内に残っている残留
部分によりその上に乗っている下から２枚目のディスクＤ２（図３参照）を水平姿勢で支
えているので、セット終了後、ピニオン３５を逆転ｈ駆動することにより、押出板３３を
前記隙間２６から円滑に後退させて元の位置（図７実線参照）まで戻すことができると共
に、下から２枚目のディスクＤ２をディスク載置台２４上に所定通りに載置することがで
きる。
【００３２】
図１中、４０はディスクセット釦、４１は電源釦４１ａなどを備えた操作部、４２はト
レイ４を前後進ａ，ｂさせるためのエジェクト釦、４３はディスプレイである。
【００３３】
図８はＤＶＤレコーダを制御するプロセッサＣＰＵの制御回路を示すものであって、デ
ィスクセット釦４０のオン操作により駆動されディスク収納庫２０内にディスクＤ１〜ｎ
が有るか否かを検知する収納庫ディスク検知センサ４５及びトレイ４上にディスクＤ１〜
ｎが無いか否かを検知するトレイ上ディスク検知センサ４６の検知信号に基づいてディス
クセット装置２１及びディスクレコーダＤＲを駆動制御して、テレビジョン受像機などか
らの映像信号４７に基づく映像情報をディスクＤ１〜ｎに記録するものである。
【００３４】
前記プロセッサＣＰＵの制御手順を図９に基づいて説明すると、ステップＳ１に示すよ
うに、電源釦４１ａをオン操作した後、ステップＳ２に移行して、ディスクセット釦４０
をオン操作する。これにより、ステップＳ３に移行し、収納庫ディスク検知センサ４５に
よりディスク収納庫２０にディスクＤ１〜ｎが有るか否かを判断し、無い場合には、ステ
ップ４に移行し、開閉扉２８を開放してディスク収納庫２０にディスクＤ１〜ｎを収納す
る。ステップＳ３で有る場合には、ステップＳ５に移行し、トレイ上ディスク検知センサ
４６によりトレイ４上にディスクＤ１〜ｎが無いか否かを判断し、有る場合には、ステッ
プＳ６に移行し、エジェクト釦４２を押してトレイ４を前進ａさせ、該トレイ４上のディ
スクＤ１〜ｎを取り除き、エジェクト釦４２を押してトレイ４を後進ｂさせ筐体１内に収
納する。ステップＳ５で無い場合には、ステップＳ７に移行し、ドライブシャーシ５を下
動ｄさせてターンテーブル８をトレイ４よりも下げる〔図３及び図４（ａ）参照〕。続い
て、ステップＳ８に移行し、ディスクセット装置２１のピニオン３５を正転ｇ駆動するこ
とにより、押出板３３を左方向ｅに移動させて、該押出板３３をディスク載置台２４とガ
イド枠２５との間の隙間２６に進入させ、その進入する押出板３３によりガイド枠２５内
からディスクＤ１を１枚だけ押し出してトレイ４上にセットする。その後、ステップＳ９
に移行し、トレイ上ディスク検知センサ４６によりトレイ４上にディスクＤ１が有るか否
かを判断し、無い場合には、ステップＳ８に戻って前記動作を繰り返す。ステップＡ９で
有る場合には、ステップＳ１０に移行し、ドライブシャーシ５を上動ｃさせてトレイ４上
のディスクＤ１をターンテーブル８により持ち上げる〔図４（ｂ）参照〕。次に、ステッ
プＳ１１に移行し、スピンドルモータ９によりディスクＤ１を高速回転させ、光ピックア
ップ７によりそのディスクＤ１に映像信号４７に基づく情報を記録する。
【００３５】
上記構成によれば、ディスクセット釦４０を押すだけで、プロセッサＣＰＵを作動させ
ることにより、ディスクセット装置２１を駆動制御してディスク収納庫２０のガイド枠２
５内からディスクＤ１を１枚だけ押し出してトレイ４上にセットし、続いて、ディスクレ
コーダＤＲを駆動制御してディスクＤ１に情報を記録するようになっており、従来のよう
にトレイ４を前後進ａ，ｂさせてディスクＤ１を１枚ずつセットして記録する場合に比べ
て（図１０及び図１１参照）、そのセットから記録までの一連の動作を極めて小さいロス
タイムだけで迅速に行うことができる。
【図面の簡単な説明】
【００３６】
【図１】本発明の実施の一形態であるＤＶＤレコーダ（ディスク装置）を示す斜視図である。
【図２】同水平断面図である。
【図３】図２のＡ−Ａ矢視図である。
【図４】（ａ）は図３のＢ−Ｂ矢視図、（ｂ）は同記録状態を示す縦断面図である。
【図５】図３のＣ−Ｃ矢視図である。
【図６】同要部の斜視図である。
【図７】同要部の平面図である。
【図８】同プロセッサの制御回路である。
【図９】同プロセッサの制御手順を示す流れ図である。
【図１０】従来例を示す水平断面図である。
【図１１】（ａ）は同記録状態の縦断面図、（ｂ）は同アンローディング状態の縦断面図である。
【符号の説明】
【００３７】
１          筐体
４          トレイ
５          ドライブシャーシ
７          光ピックアップ
８          ターンテーブル
９          スピンドルモータ
２０        ディスク収納庫
２１        ディスクセット装置
２４        ディスク載置台
２５        ガイド枠
２６        隙間
２７        ディスク挿入口
２８        開閉扉
３３        押出板
３４        ラック
３５        ピニオン
４０        ディスクセット釦
４５        収納庫ディスク検知センサ
４６        トレイ上ディスク検知センサ
ＤＲ        ディスクレコーダ
ＣＰＵ      プロセッサ
Ｄ１〜ｎ    ディスク
ａ，ｂ      前後進
ｃ，ｄ      上下動
ｒ１        ガイド枠の内径
ｒ２        ディスクの外径
ｒ３        押出板の残留部分の幅
ｔ１        ディスクの厚さ
ｔ２        隙間の間隔
ｔ３        押出板の厚さ
【図１】
2007048376.tif 000003
【図２】
2007048376.tif 000004
【図３】
2007048376.tif 000005
【図４】
2007048376.tif 000006
【図５】
2007048376.tif 000007
【図６】
2007048376.tif 000008
【図７】
2007048376.tif 000009
【図８】
2007048376.tif 000010
【図９】
2007048376.tif 000011
【図１０】
2007048376.tif 000012
【図１１】
2007048376.tif 000013